(57)【要約】【課題】優れた自然凝集防止効果を発揮する、新規な自然凝集防止剤を含む免疫測定用ラテックス組成物を提供すること、及び緩衝剤を別途用いなくてもｐＨ緩衝能を有する免疫測定用ラテックス組成物を提供すること。【解決手段】本発明の免疫測定用ラテックス組成物は、抗体若しくはその抗原結合性断片又は抗原を結合させたラテックス粒子と、これを浮遊させる媒体とを含む免疫測定用ラテックス組成物において、グリシンアミドを組成物全量に対し０．８ないし４．５Ｍの濃度で含有することを特徴とする。このラテックス組成物において、塩基性の金属水酸化物をさらに含ませることにより、ｐＨ緩衝能が付与される。【選択図】  図１
2004271416.tif 000002
【特許請求の範囲】
【請求項１】
抗体若しくはその抗原結合性断片又は抗原を結合させたラテックス粒子と、これを浮遊させる媒体とを含む免疫測定用ラテックス組成物において、グリシンアミドを組成物全量に対し０．８ないし４．５Ｍの濃度で含有することを特徴とするラテックス組成物。
【請求項２】
前記グリシンアミドの濃度が０．８ないし３Ｍである請求項１記載のラテックス組成物。
【請求項３】
塩基性の金属水酸化物をさらに含み、ｐＨ緩衝能を有する請求項１又は２記載の組成物。
【請求項４】
前記金属水酸化物がアルカリ金属水酸化物である請求項３記載の組成物。
【請求項５】
前記アルカリ金属水酸化物が水酸化ナトリウムである請求項４記載の組成物。
【発明の詳細な説明】
【０００１】
【発明の属する技術分野】
検体中の抗原又は抗体を測定する免疫測定法として、ラテックス粒子を用いたラテックス凝集法、ラテックス粒子を用いたフロースルー免疫測定法並びにラテラルフロー免疫測定法等が実用化されている。ラテックス凝集法は測定すべき抗原又は抗体に対応する抗体又は抗原をその表面に吸着させたラテックス粒子が用いられる。このようなラテックス粒子は緩衝液等の媒体中に浮遊され、これに検体が加えられる。検体中の抗原又は抗体と、これと対応するラテックス表面上の抗体又は抗原とが抗原抗体反応を起こし結合する。検体中の抗原又は抗体は、抗原抗体反応部位を通常複数有するので検体中の抗原又は抗体を介してラテックス粒子が架橋され凝集する。この凝集の程度は、検体中の測定すべき抗原又は抗体の量に比例するので、この凝集の程度を見ることによって検体中の抗原又は抗体を測定することができる。通常、凝集の程度は検体と対応する抗体又は抗原を結合させたラテックス粒子浮遊液との混合物を肉眼的に観察して測定、また、分光光度計などの専用の分析機器によって測光することにより、簡単に行うことができる。これらの方法は、測定方法が簡単で感度が高く、一般的に広く用いられている。
【０００２】
ラテックス凝集法に用いられる抗体又は抗原が表面に結合されたラテックス粒子は、ラテックス粒子の自然凝集を防止する目的の水溶性化合物とｐＨ緩衝能を有する水溶性化合物とを溶解した水溶液に浮遊された状態で保存される。すなわち、媒体としての緩衝液に更に自然凝集防止剤を添加した状態で用いられている。自然凝集を防止する化合物としては１分子内にアミノ基を２個以上有するアミノ酸（特公平６−１７９１１号公報）、塩化コリン、多価アルコール等が用いられている。他方、媒体としての緩衝液はグリシン緩衝液、リン酸緩衝液、トリス緩衝液等が用いられている。さらに、塩濃度調整のために塩化ナトリウム、安定剤としてウシ血清アルブミン、ゼラチン、サッカロース等が適宜添加される。
【０００３】
このように自然凝集を防止する化合物と緩衝能を保つための化合物をそれぞれ使用しているため、そのぶん試薬組成が複雑となり、また比重や粘度が上昇するため検出感度に影響を及ぼす等の欠点があった。
【０００４】
【特許文献１】特公平６−１７９１１号公報
【０００５】
【発明が解決しようとする課題】
本発明の目的は、優れた自然凝集防止効果を発揮する、新規な自然凝集防止剤を含む免疫測定用ラテックス組成物を提供することである。また、本発明の目的は、緩衝剤を別途用いなくてもｐＨ緩衝能を有する免疫測定用ラテックス組成物を提供することである。
【０００６】
【課題を解決するための手段】
本願発明者は、鋭意研究の結果、グリシンアミドが、免疫測定用ラテックス粒子の自然凝集を効果的に防止することができることを見出し、本発明を完成した。また、本願発明者は、上記グリシンアミドに加え、さらに塩基性の金属水酸化物を加えることにより、組成物がｐＨ緩衝能を獲得し、別途緩衝剤を添加しなくてもｐＨをほぼ一定に保持することができることを見出した。
【０００７】
すなわち、本発明は、抗体若しくはその抗原結合性断片又は抗原を結合させたラテックス粒子と、これを浮遊させる媒体とを含む免疫測定用ラテックス組成物において、グリシンアミドを組成物全量に対し０．８ないし４．５Ｍの濃度で含有することを特徴とするラテックス組成物を提供する。また、本発明は、上記本発明のラテックス組成物において、塩基性の金属水酸化物をさらに含み、ｐＨ緩衝能を有するラテックス組成物をも提供する。
【０００８】
【発明の実施の形態】
この発明のラテックス組成物は、表面に抗体若しくはその抗原結合性断片又は抗原が結合されたラテックス粒子と、該ラテックス粒子を浮遊させる媒体とを含むラテックス組成物に、ラテックス粒子の自然凝集防止の目的でグリシンアミドを含有させたものである。なお、ここで、「抗原結合性断片」とは、抗体のＦ（ａｂ）断片やＦ（ａｂ’）２断片等のように、対応抗原と抗原抗体反応可能な断片である。これらの抗体断片も抗体と同様に用いられている。この発明の組成物中のラテックス粒子、これに吸着される抗体若しくはその抗原結合性断片又は抗原、及び、これを浮遊させる媒体並びにそれらの組成物中のグリシンアミド以外の含量はこの発明にとって何ら特徴的なものではなく、従来から用いられているいずれのものをも用いることができる。従って、これらの説明は省略する。
【０００９】
この発明に用いられるグリシンアミドは、分子式がＨ２ＮＣＨ２ＣＯＮＨ２で表される化合物であり、酸付加塩（例えば塩酸塩）のような塩の形態にあってもよい。この発明の組成物に含まれるグリシンアミドの濃度は、０．８ないし４．５Ｍであり、好ましくは０．８ないし３Ｍである。グリシンアミドの濃度が低過ぎると組成物を長期間保存した場合、自然凝集が生じるため、この組成物を用いて測定を行うと正確な測定結果を得ることができない。一方、グリシンアミドの濃度が高過ぎると測定感度が低下する。また、グリシンアミドの濃度が４．６Ｍを超えるとグリシンアミドの結晶が生じ正確な測定に支障をきたす。
【００１０】
グリシンアミドに加え、さらに、塩基性の金属水酸化物を添加することにより、組成物にｐＨ緩衝能が付与され、別途緩衝剤を用いる必要がなくなるので、有利である。塩基性の金属水酸化物としては、特に限定されないが、アルカリ金属水酸化物が好ましく、特に水酸化ナトリウムが好ましい。塩基性の金属水酸化物の添加濃度は、組成物が所望のｐＨを達成する濃度が好ましく、通常、組成物が弱塩基性になる濃度、好ましくは組成物のｐＨが約７．４〜９．０になる濃度である。なお、グリシンアミド及び塩基性の金属水酸化物を含む本発明のラテックス組成物は、別途緩衝剤を添加しなくても実用上支障のないｐＨ緩衝作用を発揮するが、測定に悪影響が生じない範囲で別途緩衝剤を添加して用いることも可能である。
【００１１】
この発明のラテックス組成物の使用方法は、従来のラテックス組成物の使用方法と全く同じである。すなわち、検体と組成物とを混合し、反応させ、それによって生じるラテックス粒子の凝集の程度を、肉眼的に観察して測定、あるいは専用の分析機器を用いて測光することによって測定するのである。より具体的な測定法としては平板を用いて行うスライド法、マイクロプレートを用いて行うプレート法、専用分析機器を用いて行う自動分析法が例として挙げられる。更には着色ラテックスを用いたフロースルー免疫測定法、ラテラルフロー免疫測定法等も例として上げられるが、これらに限定されることなく、抗体若しくはその抗原結合性断片又は抗原を固定化したラテックス粒子を用いる免疫測定法に広く使用され得るものである。
【００１２】
【実施例】
以下、本発明を実施例に基づきより具体的に説明する。もっとも、本発明は下記実施例に限定されるものではない。
【００１３】
実施例１
抗ヒト免疫グロブリンＥ抗体（マウスモノクロ−ナル抗体、デンカ生研製）を粒径０．２６６μｍのラテックス粒子（積水化学製）に結合させ、グリシンアミド塩酸塩（アルドリッチケミカル製）０．５〜４．５Ｍ、ｐＨ７．６となる量の水酸化ナトリウム、塩化ナトリウム  ０．１Ｍ、ウシ血清アルブミン  ０．１ｗ／ｖ％、アジ化ナトリウム０．０８５ｗ／ｖ％を含む水溶液にラテックス粒子の濃度が０．１２ｗ／ｖ％になるように浮遊させた。これらの浮遊液を４〜８℃で長期間保存した。長期間保存における自然凝集・沈殿の有無を肉眼的に観察した。グリシンアミド  ０．６Ｍ以下では９０日間の内に自然凝集・沈殿が認められたが、０．７Ｍでは９０日間、０．８Ｍでは３６０日間、０．９Ｍ以上では５４０日間保存しても自然凝集・沈殿はまったく認められず、ラテックス粒子は均一に分散していた。その結果を下記表１に示す。
【００１４】
【表１】
表１  自然凝集・沈殿の有無
2004271416.tif 000003
−；自然凝集・沈殿なし
＋；自然凝集・沈殿あり
【００１５】
実施例２
実施例１と同様にして、粒径０．２６６μｍのラテックス粒子に抗ヒト免疫グロブリンＥ抗体（マウスモノクロ−ナル抗体）を結合させ、グリシンアミド塩酸塩  １．５Ｍ、ｐＨ７．６となる量の水酸化ナトリウム、塩化ナトリウム  ０．１Ｍ、ウシ血清アルブミン  ０．１ｗ／ｖ％、アジ化ナトリウム  ０．０８５ｗ／ｖ％を含む水溶液にラテックス粒子の濃度が０．１２ｗ／ｖ％になるように浮遊させた。グリシンアミドの存在により測定精度が落ちないことを示すために以下の実験を行った。
【００１６】
種々の濃度既知ヒト免疫グロブリンＥの生理食塩水溶液３μＬに、塩化ナトリウム  ０．１Ｍを含む０．１７Ｍ  グリシン緩衝液（ｐＨ７．６）２００μＬ、抗ヒト免疫グロブリンＥ抗体（マウスモノクロ−ナル抗体）を結合させた粒径０．２６６μｍのラテックス粒子浮遊液（０．１２ｗ／ｖ％）１００μＬを加え、３７℃で反応させ，吸光度変化率を波長５７２ｎｍで測定して検量線を作成し、次いで，検体として種々の未知濃度のヒト免疫グロブリンＥを含むヒト血清を用いて上記と同様な操作を行い検量線から検体中のヒト免疫グロブリンＥ濃度を求めた。上記の操作工程は自動化学分析装置（東芝ＴＢＡ−３０Ｒ）を用いて行った。
【００１７】
一方、従来から広く用いられているラテックス凝集法試薬を用いて同検体について測定を行い、上記の発明の方法により得られた結果と比較した。上記２法による測定値の相関図を図１に示す。
【００１８】
この相関図の相関係数は０．９９６７、回帰式はｙ＝０．９９９２ｘ−４．１４１であり，上記２法による測定値がほぼ完全に一致していることがわかる。すなわち、本発明の組成物を用いた場合、グリシンアミドの存在により測定精度に悪影響がおよぼされないことが明らかである。
【００１９】
実施例３
定性法として用いられているスライド凝集法で実験を行った。粒径０．３μｍのラテックス粒子（積水化学製）に抗病原大腸菌Ｏ１５７抗体（マウスモノクロ−ナル抗体、デンカ生研製）を結合させ、グリシンアミド塩酸塩  １．８Ｍ、ｐＨ８．０となる量の水酸化ナトリウム、塩化ナトリウム  ０．１Ｍ、ウシ血清アルブミン  ０．２ｗ／ｖ％、アジ化ナトリウム  ０．０８５ｗ／ｖ％を含む水溶液にラテックス粒子の濃度が０．５ｗ／ｖ％になるように浮遊させた。試験用抗原として、病原大腸菌Ｏ１５７の菌体懸濁液を１００℃、１０分間加熱処理した後、２０００Ｇ、５分間遠心して、この上清を用いた。菌体を含まないものを陰性対照とした。
【００２０】
試験法
スライド凝集試験用板に抗原５０μＬを乗せ、次に抗体結合ラテックス粒子浮遊液２５μＬを加えて室温で３分間緩やかに撹拌し、凝集の有無を肉眼で観察した。一方、従来から広く用いられているスライドラテックス凝集法試薬を用いて同検体について測定を行い、上記の発明の方法により得られた結果と比較した。その結果を下記表２に示す。
【００２１】
【表２】
表２
2004271416.tif 000004
判定基準
＋＋＋  ：  強い凝集が見られるもの
−    ：  凝集が見られないもの
【００２２】
表２に示されるように、本発明の組成物を用いた場合、グリシンアミドの存在により測定精度に悪影響がおよぼされないことが明らかである。
【００２３】
実施例４
フロースルー免疫測定法で実験を行った。粒径０．２９０μｍの青色ラテックス粒子（ＣＭ／ＢＬ、セラダイン製）に抗Ａ型インフルエンザウイルス抗体（マウスモノクロ−ナル抗体、デンカ生研製）を共有結合させ、グリシンアミド塩酸塩  １．５Ｍ、ｐＨ８．０となる量の水酸化ナトリウム、塩化ナトリウム  ０．２Ｍ、ウシ血清アルブミン  ０．２ｗ／ｖ％、アジ化ナトリウム  ０．０８５ｗ／ｖ％  を含む水溶液にラテックス粒子の濃度が０．０１ｗ／ｖ％になるように浮遊させた。
【００２４】
デバイス
ニトロセルロース膜（ＡＥ１００、ポアサイズ１２μｍ、Ｓ＆Ｓ製）上に直径約４ｍｍになる量の抗Ａ型インフルエンザウイルス抗体（マウスモノクロ−ナル抗体；上記と別のクローン、デンカ生研製）液を滴下して、減圧下で良く乾燥させて抗体を固相化した。この膜を厚手の濾紙の上に重ねてフロースルー免疫測定用容器に組み込んでデバイスを作製した。
【００２５】
測定
検体としてＡ型インフルエンザウイルス抗原、Ｂ型インフルエンザウイルス抗原をそれぞれ用いた。インフルエンザウイルス抗原をウシ血清アルブミン  ３ｗ／ｖ％並びにポリオキシエチレン（２０）ソルビタンモノラウレート  ２ｗ／ｖ％に加えた５０ｍＭ  トリス緩衝液、ｐＨ８．０で１０倍希釈した。希釈したインフルエンザウイルス抗原５００μＬに抗Ａ型インフルエンザウイルス抗体結合ラテックス粒子浮遊液５００μＬを加えて良く混ぜて全量をデバイスのサンプルウエルに入れた。判定は１０分後に下記の方法で行った。
【００２６】
判定および結果
判定は抗Ａ型インフルエンザウイルス抗体を固相化した部分への抗原抗体反応によるラテックス粒子の付着による着色の有無を肉眼で観察して行った。
その結果を表３に示す。
【００２７】
【表３】
表３
2004271416.tif 000005
判定基準
＋  ：  青の着色が見られるもの
−  ：  青の着色が見られないもの
【００２８】
Ａ型インフルエンザウイルス抗原は陽性でＢ型インフルエンザウイルス抗原は陰性となり特異的にＡ型インフルエンザウイルス抗原を検出できることが確かめられた。
【００２９】
実施例５
ラテラルフロー免疫測定法で実験を行った。粒径０．２９０μｍの青色ラテックス粒子（ＣＭ／ＢＬ、セラダイン製）に抗Ａ型インフルエンザウイルス抗体（マウスモノクロ−ナル抗体、デンカ生研製）を共有結合させ、グリシンアミド塩酸塩  １．５Ｍ、ｐＨ８．０となる量の水酸化ナトリウム、塩化ナトリウム  ０．２Ｍ、ウシ血清アルブミン  ０．１ｗ／ｖ％、アジ化ナトリウム  ０．０８５ｗ／ｖ％を含む水溶液にラテックス粒子の濃度が０．０１５ｗ／ｖ％になるように浮遊させた。
【００３０】
デバイス
ニトロセルロース膜（ポアサイズ１２μｍ、ＡＥ１００、Ｓ＆Ｓ製）を幅２０ｃｍ、高さ１．２ｃｍに切り、接着剤を塗布した厚さ約０．２ｍｍ、大きさ２０ｃｍ×３．５ｃｍのプラスチック板に下端をよく合わせて貼り付け、更に残りの接着剤塗布部分に２０ｃｍ×２．６ｃｍの大きさの濾紙（Ｎｏ．５９０、アドバンテック製）をニトロセルロース膜に３ｍｍ重ねて貼り付けた。このニトロセルロース膜の下端から０．６ｃｍの位置に太さ約１ｍｍ幅になる量の抗Ａ型インフルエンザウイルス抗体（マウスモノクロ−ナル抗体；上記と別のクローン、デンカ生研製）液で２０ｃｍの線を描き、減圧下で良く乾燥させて抗体を固相化した。つぎに、カッターで幅５ｍｍの短冊に細切してデバイスを作製した。
【００３１】
測定
検体としてＡ型インフルエンザウイルス抗原、Ｂ型インフルエンザウイルス抗原をそれぞれ用いた。インフルエンザウイルス抗原をウシ血清アルブミン  ３ｗ／ｖ％並びにポリオキシエチレン（２０）ソルビタンモノラウレート  ２ｗ／ｖ％に加えた５０ｍＭ  トリス緩衝液、ｐＨ８．０で１０倍希釈した。平底マイクロプレートのウエルに希釈したインフルエンザウイルス抗原４０μＬ並びに抗Ａ型インフルエンザウイルス抗体結合ラテックス粒子浮遊液４０μＬを入れて良く混ぜ、つぎにデバイスの下端を液に浸して立て反応させた。判定は１５分後に下記の方法で行った。
【００３２】
判定および結果
判定は抗Ａ型インフルエンザウイルス抗体を固相化した部分への抗原抗体反応によるラテックス粒子の付着による着色線の有無を肉眼で観察して行った。その結果を表４に示す。
【００３３】
【表４】
表４
2004271416.tif 000006
判定基準
＋  ：  青の着色が見られるもの
−  ：  青の着色が見られないもの
【００３４】
Ａ型インフルエンザウイルス抗原は陽性でＢ型インフルエンザウイルス抗原は陰性となり特異的にＡ型インフルエンザウイルス抗原を検出できることが確かめられた。
【００３５】
【発明の効果】
この発明の免疫測定用ラテックス組成物は、長期間保存してもラテックス粒子の凝集が起こらない。従って、長期間保存後も検体中の抗原又は抗体を精度良く測定することができる。また、塩基性の金属水酸化物を含む本発明のラテックス組成物は、ｐＨ緩衝作用を発揮するので、別途緩衝剤を添加することが不要であり、試薬組成を単純化することができ、また比重や粘度が従来の組成物のように上昇することを回避することができる。
【図面の簡単な説明】
【図１】本発明の組成物を用いた免疫測定方法と、従来法による免疫測定方法により、試料中の免疫グロブリンＥを測定した値の相関図である。
【図１】
2004271416.tif 000007